(57)【要約】【構成】  第一回転作動軸と第二回転作動軸とを互いに垂直状態にして回転伝動軸に対し垂直状態に配置する。第一回転作動軸の突出端部に第一回転鋸刃、第二回転作動軸の突出端部に第二回転鋸刃を設置する。第一回転鋸刃の切削端縁の接線と第二回転鋸刃との切削端縁の接線とを略一致させる。回転伝動軸はタレットの回転に基づいて回転する。第一回転作動軸及び第二回転作動軸は各々ギア機構を介して回転伝動軸の回転に基づいて回転する。【効果】  タレットに設置して、第一回転鋸刃と前記第二回転鋸刃が回転することのよりワークの隅部を直角状に切り取ることができる。一工程で切り取ることができるため、従来よりも切取作業の迅速化を図ることができるとともにタレットの制御が簡易になる。 【選択図】  図１
2011235361.tif 000002
【特許請求の範囲】
【請求項１】
フレームに回転伝動軸と第一回転作動軸と第二回転作動軸とを回転可能に設置し、前記第一回転作動軸と第二回転作動軸とを互いに垂直状態に配置するとともに両者とも前記回転伝動軸の軸心に対して垂直状態に配置し、前記第一回転作動軸における前記フレームからの突出端部に前記第一回転鋸刃を設置するとともに前記第二回転作動軸における前記フレームからの突出端部に前記第二回転鋸刃を設置し、前記第一回転鋸刃の切削端縁の接線と前記第二回転鋸刃との切削端縁とを略一致させた状態で略垂直に配置し、前記回転伝動軸はタレットの回転に基づいて回転するとともに前記第一回転作動軸及び第二回転作動軸は各々ギア機構を介して前記回転伝動軸の回転に基づいて回転することを特徴とするタレット用回転鋸装置。
【請求項２】
請求項１のタレット用回転鋸装置において、記第一回転鋸刃の切削端縁と前記第二回転鋸刃との切削端縁とをオフセットさせたことを特徴とするタレット用回転鋸装置。
【請求項３】
請求項２のタレット用回転鋸装置において、前記回転伝動軸に対して前記第一回転作動軸と第二回転作動軸とをずらしたことを特徴とするタレット用回転鋸装置。
【請求項４】
請求項２のタレット用回転鋸装置において、前記ギヤ機構が一対のねじ歯車からなることを特徴とするタレット用回転鋸装置。
【発明の詳細な説明】
【技術分野】
【０００１】
この発明はタレット用回転鋸装置に関し、タレットに設置されて、ワークの隅部を直角状に切り取る場合に使用されるものである。
【背景技術】
【０００２】
従来におけるこの種の回転鋸装置は、フレームに、回転伝動軸と回転作動軸とを回転可能に設置し、ギア機構を介して前記作動軸を前記回転伝動軸の回転に基づいて回転させるとともにその突出端部に回転鋸刃を取り付けたものであり、タレットに取り付けられて前記回転鋸刃を回転させることによってワークを切断加工していた。
【０００３】
【特許文献１】特開平６−１７９１１３号公報
【発明の開示】
【発明が解決しようとする課題】
【０００４】
しかしながら、かかる従来のタレット用回転鋸装置タレットにあっては、回転鋸刃が一枚であり、ワークの隅部を直角状に切り取る場合には、２工程の切削作業が必要であったため、切り取り作業に時間がかかるとともにタレットの制御に手間がかかり、この結果、タレットを使用して、ワークの隅部を直角状に切り取る作業の作業能率を向上させにくいという不都合を有した。
【０００５】
この発明の課題はこれらの不都合を解消することである。
【課題を解決するための手段】
【０００６】
この発明に係るタレット用回転鋸装置においては、フレームに回転伝動軸と第一回転作動軸と第二回転作動軸とを回転可能に設置し、前記第一回転作動軸と第二回転作動軸とを互いに垂直状態に配置するとともに両者とも前記回転伝動軸の軸心に対して垂直状態に配置し、前記第一回転作動軸における前記フレームからの突出端部に前記第一回転鋸刃を設置するとともに前記第二回転作動軸における前記フレームからの突出端部に前記第二回転鋸刃を設置し、前記第一回転鋸刃の切削端縁の接線と前記第二回転鋸刃との切削端縁の接線とを略一致させた状態で略垂直に配置し、前記回転伝動軸はタレットの回転に基づいて回転するとともに前記第一回転作動軸及び第二回転作動軸は各々ギア機構を介して前記回転伝動軸の回転に基づいて回転するものである。
この場合、記第一回転鋸刃の切削端縁と前記第二回転鋸刃との切削端縁とをオフセットさせることもできる。
【０００７】
なお、この場合、前記回転伝動軸に対して前記第一回転作動軸と第二回転作動軸とをずらすことができる。
【０００８】
また、前記ギヤ機構として一対のねじ歯車を使用することができる。
【発明の効果】
【０００９】
この発明に係るタレット用回転鋸装置は上記のように構成されているため、即ち、フレームに回転伝動軸と第一回転作動軸と第二回転作動軸とを回転可能に設置し、前記第一回転作動軸と第二回転作動軸とを互いに垂直状態に配置するとともに両者とも前記回転伝動軸の軸心に対して垂直状態に配置し、前記第一回転作動軸における前記フレームからの突出端部に前記第一回転鋸刃を設置するとともに前記第二回転作動軸における前記フレームからの突出端部に前記第二回転鋸刃を設置し、前記第一回転鋸刃の切削端縁の接線と前記第二回転鋸刃との切削端縁の接線とを略一致させた状態で略垂直に配置し、前記回転伝動軸はタレットの回転に基づいて回転するとともに前記第一回転作動軸及び第二回転作動軸は各々ギア機構を介して前記回転伝動軸の回転に基づいて回転するため、タレットに設置して回転伝動軸を回転させることによって、垂直状態に配置された第一回転鋸刃と前記第二回転鋸刃が回転し、この状態で下降させることによって、ワークの隅部を直角状に切り取ることができるものである。
【００１０】
よって、このタレット用回転鋸装置を使用すれば、一工程の切削作業によってワークの隅部を直角状に切り取ることができるため、従来よりも切り取り作業の迅速化を図ることができるとともにタレットの制御が簡易になり、この結果、タレットを使用してワークの隅部を直角状に切り取る作業の作業能率を従来よりも向上させることができる。
【００１１】
この場合、記第一回転鋸刃の切削端縁と前記第二回転鋸刃との切削端縁とをオフセットさせれば、ワークの隅部を一辺ずつ直角状に切り取ることができるため、隅部を安定した状態で切り取ることができる。
【００１２】
なお、この場合、前記回転伝動軸に対して前記第一回転作動軸と第二回転作動軸とをずらせば、前記第一回転鋸刃の回転中心と前記第二回転鋸刃の回転中心がずれるため、前記第一回転鋸刃の切削縁と前記第二回転鋸刃との切削縁とをオフセットさせやすいものである。
【００１３】
また、前記ギヤ機構として一対のねじ歯車を使用すれば装置自体をコンパクトに設計することができる。
【図面の簡単な説明】
【００１４】
【図１】図１はこの発明に係るタレット用回転鋸装置を使用したタレットの斜視図である。
【図２】図２は図１におけるII矢視図である。
【図３】図３は図２におけるIII―III線断面図である。
【図４】図４はこの発明に係るタレット用回転鋸装置の内部機構の斜視図である。斜視図である。
【図５】図５は同逆方向からの斜視図である。同
【発明を実施するための形態】
【００１５】
この発明における「フレーム」とは、回転伝動軸と第一回転作動軸と第二回転作動軸とを回転可能に支持するためのものであり、鍛造、鋳造、刳り貫き等によって形成される。
【００１６】
また、「第一回転鋸刃」及び「第一回転鋸刃」は各々フランジ継ぎ手を介して「第一回転作動軸」又は「第二回転作動軸」に締め付け固定されている。
【００１７】
「第一回転鋸刃の切削端縁」及び「第二回転鋸刃との切削端縁」とは、互いに最も近接している回転鋸刃の切削縁のことである。
【００１８】
また、「第一回転鋸刃の切削端縁の接線」及び「第二回転鋸刃との切削端縁の接線」とは、「第一回転鋸刃」と「第二回転鋸刃」とが近接する位置の接線のことである。また、「接線を略一致」とは、「接触いない状態で近接している」ことである。
【００１９】
「第一回転鋸刃の切削端縁」と「第二回転鋸刃との切削端縁」とをオフセットさせるとは、「共通する切削端縁の接線」方向に沿ってずらすことである。
【００２０】
「ギヤ機構」としては「一対のねじ歯車」を使用することができるが、他の歯車を使用することもできる。
【実施例１】
【００２１】
以下、この発明の実施例を図面に基づいて説明する。
【００２２】
図１はこの発明に係るタレット用回転鋸装置を使用したタレットの斜視図、図２は図１におけるII矢視図、図３は図２におけるIII―III線断面図、図４はこの発明に係るタレット用回転鋸装置の内部機構の斜視図、図５は同逆方向からの斜視図である。
【００２３】
図１〜３において、１はタレット、２はその本体フレームである。３は主軸モーターであり、前記本体フレーム２に対して進退可能に設置されている。
【００２４】
４は駆動軸であり、前記主軸モーター３によって回転する。４１は原動かさ歯車であり、前記駆動軸４の先端部側に嵌着固定されている。４2は位置決めピニオンギヤであり、前記駆動軸４における前記原動かさ歯車４1の外側（図３における左側）に嵌着固定されている。前記原動かさ歯車４1および前記位置決めピニオンギヤ４2は、前記駆動軸４の回転に従って回転する。５１は従動かさ歯車であり、後記タレット用回転鋸装置（この発明に相当する）Aにおける後記回転伝動軸５の内端に嵌着固定されている。この従動かさ歯車５１は前記駆動軸４の原動かさ歯車４1と歯合して前記回転伝動軸５を回転させる。なお、４３は他の工具の伝動軸、４４はその従動かさ歯車である。
【００２５】
６は旋回フレームであり、前記本体フレーム２の外壁面にローラーベアリング６1を介して回動可能に設置されている。この旋回フレーム６の回転中心は前記駆動軸４から上方に偏心している。６２はインターナルギヤであり、前記旋回フレーム６の外端に軸心を同一にした状態で設置されている。このインターナルギヤ６２は前記位置決めピニオンギヤ４２と歯合して前記旋回フレーム６を回転させる。  
【００２６】
なお、前記主軸モーター３を進退させることによって、前記位置決めピニオンギヤ４２と前記インターナルギヤ６２との歯合と前記原動かさ歯車４1と前記従動かさ歯車５１と歯合とを選択的に行い、一のモーター３により前記旋回フレーム６と前記回転伝動軸(回転鋸装置の)５とを選択的に回転させることができる。
【００２７】
次に、図４〜５に基づいて、前記タレット用回転鋸装置Aについて説明する。
【００２８】
図において、７は工具フレーム（この発明の「フレーム」に相当する）であり、前記旋回フレーム６にボルト止めされている。この工具フレーム７は刳り貫きによって、伝動軸用孔７1，第一作動軸用孔７2及び第二作動軸用孔７３が形成されている。この伝動軸用孔７1とこれらの第一作動軸用孔７2及び第二作動軸用孔７３とは垂直状態の位置関係にあり、互いに連通している。また、第一作動軸用孔７2及び第二作動軸用孔７３とは捩じれの状態にあるが互いに垂直状態を維持している。５は回転伝動軸であり、前記伝動軸用孔７１に軸受を介して回転自在に貫通している。この回転伝動軸５は、前記従動かさ歯車５１を介して前記前記駆動軸４の回転に基づいて回転する。５２は第一原動ねじ歯車、５３は第二原動ねじ歯車であり、前記工具フレーム７内において、前記回転伝動軸５に外嵌め固定されている。これらの第一原動ねじ歯車５２及び第二原動ねじ歯車５３は前記回転伝動軸５の回転に基づいて回転する。
【００２９】
８１は第一回転作動軸であり、前記第一作動軸用孔７２に軸受を介して回転自在に貫通している。８２は第一従動ねじ歯車であり、前記工具フレーム７内において、前記第一回転作動軸８１に外嵌め固定されている。この第一従動ねじ歯車８２は前記回転伝動軸５の第一原動ねじ歯車５２と歯合している。同様に、９１は第二回転作動軸であり、前記第二作動軸用孔７３に軸受を介して回転自在に貫通している。９２は第二従動ねじ歯車であり、前記工具フレーム７内において、前記第二回転作動軸９１に外嵌め固定されている。この第二従動ねじ歯車９２は前記回転伝動軸５の第二原動ねじ歯車５３と歯合している。このため、前記第一回転作動軸８１及び記第二回転作動軸９１は前記回転伝動軸5 ひいては前記駆動軸４の回転に基づいて回転する。
【００３０】
８３は第一回転鋸刃であり、前記第一回転作動軸８１の突出端にフランジ継ぎ手８４を介してビス８５，８５，…止めされている。また、９３は第二回転鋸刃であり、前記第二回転作動軸９１の突出端にフランジ継ぎ手９４を介してビス９５，９５，…止めされている。前記第一回転鋸刃８３と前記第二回転鋸刃９３とは、各々の切削端縁の接線Lを略一致させた状態で略垂直に位置している。このため、両回転鋸刃83，93を回転させながら、下降させることによってワークWの隅部を直角状に切り取ることができる（図１参照）。なお、記第一回転鋸刃８３の切削端縁と前記第二回転鋸刃９３との切削端縁とが前記接線Lに沿ってオフセットしているため、ワークWの隅部を一辺ずつ直角状に切り取ることができる結果、隅部を安定した状態で切り取ることができるものである。
【産業上の利用可能性】
【００３１】
この発明は、タレットに設置して回転伝動軸を回転させることによって、垂直状態に配置された第一回転鋸刃と前記第二回転鋸刃を回転させ、この状態で下降させることによって、ワークの隅部を直角状に切り取ることができる。このタレット用回転鋸装置を使用すれば、一工程の切削作業によってワークの隅部を直角状に切り取ることができるため、従来よりも切り取り作業の迅速化を図ることができるとともにタレットの制御が簡易になり、この結果、タレットを使用してワークの隅部を直角状に切り取る作業の作業能率を従来よりも向上させることができる。
記第一回転鋸刃の切削端縁と前記第二回転鋸刃との切削端縁とをオフセットさせれば、ワークの隅部を一辺ずつ直角状に切り取ることができるため、隅部を安定した状態で切り取ることができる。このように、この発明はタレット用工具として利用することができるものである。
【符号の説明】
【００３２】
A  …  タレット用回転鋸装置
W  …  ワーク
L  …  接線
１  …  タレット
２  …  本体フレーム
３  …  主軸モーター
４  …  駆動軸
４１…  原動かさ歯車
４2…  位置決めピニオンギヤ
５  …  回転伝動軸
５１…  従動かさ歯車
５２…  第一原動ねじ歯車
５３…  第二原動ねじ歯車
４３…  他の工具の伝動軸
４４…  従動かさ歯車（他の工具の）
６  …  旋回フレーム
６１…  ローラーベアリング
６２…  インターナルギヤ
７  …  工具フレーム（フレーム）
７１…  伝動軸用孔
７２…  第一作動軸用孔
７３…  第二作動軸用孔
８１…  第一回転作動軸
８２…  第一従動ねじ歯車
８３…第一回転鋸刃
８４…  フランジ継ぎ手
８５…  ビス
９１…  第二回転作動軸
９２…  第二従動ねじ歯車
９３…第二回転鋸刃
９４…  フランジ継ぎ手
９５…  ビス
【図１】
2011235361.tif 000003
【図２】
2011235361.tif 000004
【図３】
2011235361.tif 000005
【図４】
2011235361.tif 000006
【図５】
2011235361.tif 000007